(57)【要約】本発明はモータを駆動するモータドライバの複数を備えた回転速度制御システムに関し、モータドライバの個数に依存せず、またモータドライバ毎の特性に依存せずに、複数のモータを同じ回転速度で駆動するすることを目的とする。モータドライバ２０１にはリモートコントローラ３１及びモータドライバ２０２が接続される。モータドライバ２０１，２０２はそれぞれモータＭ１１，Ｍ１２を所定の回転速度で制御する。当該回転速度を示す回転速度指示信号９１はリモートコントローラ３１からモータドライバ２０１に与えられ、モータドライバ２０１から更にモータドライバ２０２に与えられる。回転速度指示信号９１は回転速度を指示し、これがデジタル値でモータドライバ２０１，２０２間で伝送されるので、モータＭ１１，Ｍ１２のいずれもが、回転速度指示信号９１で示された回転速度で駆動される。
2003065565.tif 000002
【特許請求の範囲】
【請求項１】
（ａ）各々が
（ａ−１）モータ回転速度を設定する回転速度指示信号（９１；９２）を出力する回転速度指示手段（３１；３２）と、
（ａ−２）前記回転速度指示手段から前記回転速度指示信号を受け、前記回転速度指示信号に基づいて自身に対応するモータ（Ｍ１１；Ｍ２１）を駆動する第１のモータドライバ（２０１；２１１）と、
（ａ−３）前記第１のモータドライバとの間でデジタル値の通信が可能であり、前記第１のモータドライバから前記回転速度指示信号を受け、前記回転速度指示信号に基づいて自身に対応するモータ（Ｍ１２〜Ｍ１６；Ｍ２２）を駆動する少なくとも一つの第２のモータドライバ（２０２〜２０６；２１２）と
を備える少なくとも一つのモータドライブ系統（７１；７２）と、
（ｂ）前記モータドライブ系統の各々の前記第１のモータドライバと通信することによって、前記モータドライブ系統毎に前記第１及び第２のモータドライバの動作を監視する集中監視手段（１０）と
を備える、回転速度制御システム。
【請求項２】
前記モータドライブ系統（７１；７２）の各々において、
（ａ−４）前記第１のモータドライバ（２０１；２１１）及び前記第２のモータドライバ（２０２；２１２）を相互に接続する系統内配線（５１；５２）
が更に備えられる、請求の範囲１記載の回転速度制御システム。
【請求項３】
前記モータドライブ系統（７１；７２）は複数設けられる、請求の範囲１記載の回転速度制御システム。
【請求項４】
複数の前記モータドライブ系統（７１；７２）の各々の前記第１のモータドライバ（２０１；２１１）は、自身が所属する前記モータドライブ系統（７１；７２）に異常が生じた場合に、前記集中監視手段（１０）との間の通信を切断する、請求の範囲３記載の回転速度制御システム。
【請求項５】
前記第１のモータドライバ（２０１；２１１）は、
前記回転速度指示信号に基づいて自身に対応する前記モータ（Ｍ１１；Ｍ２１）を駆動し、前記集中監視手段（１０）と通信可能な通信・制御回路（８３）と、
前記集中監視手段と接続されたコネクタ（８４）と、
前記コネクタと前記通信・制御回路との間に介在するスイッチ（８５）とを有し、
異常が生じた前記モータドライブ系統において前記スイッチが切断される、請求の範囲４記載の回転速度制御システム。
【請求項６】
前記第２のモータドライバ（２０２〜２０６；２１２）は、
前記第１のモータドライバ（２０１；２１１）の前記通信・制御回路（８３）との間で前記系統内配線（５１，５２）を介してデジタル値の通信が可能であって、前記回転速度指示信号（９１；９２）に基づいて自身に対応する前記モータ（Ｍ１２〜Ｍ１６；Ｍ２２）を駆動する通信・制御回路（８３）
を有する、請求の範囲５記載の回転速度制御システム。
【請求項７】
前記モータドライブ系統（７１）において、
前記第２のモータドライバ（２０２〜２０６）は複数設けられ、その各々には固有の識別符号が設定され、
前記第１のモータドライバ（２０１）から前記第２のモータドライバ（２０２〜２０６）に対して、前記識別符号及び前記回転速度指示信号が伝達される、請求の範囲１記載の回転速度制御システム。
【請求項８】
前記モータドライブ系統（７１）において、
前記第２のモータドライバ（２０２〜２０６）から前記第１のモータドライバ（２０１）に対して、前記識別符号及び前記回転速度指示信号が伝達される、請求の範囲７記載の回転速度制御システム。
【請求項９】
前記第２のモータドライバ（２０２〜２０６）において生じた故障に対応するコードが、前記第２のモータドライバから前記第１のモータドライバ（２０１）に対して伝達される、請求の範囲７記載の回転速度制御システム。
【請求項１０】
前記モータドライブ系統（７１）において、
前記第２のモータドライバ（２０２〜２０６）は複数の副モータドライブ系統（７１ａ，７１ｂ）に区分され、前記副モータドライブ系統の各々には固有の識別符号が設定され、
前記第１のモータドライバ（２０１）から前記副モータドライバ系統に対して、前記識別符号及び前記回転速度指示信号が伝達される、請求の範囲１記載の回転速度制御システム。
【請求項１１】
請求の範囲１乃至１０のいずれか一つに記載の回転速度制御システムと、
前記モータドライバの各々に対応して設けられ、対応する前記モータドライバによって回転速度が制御される、同一仕様のモータ（Ｍ１１〜Ｍ１６；Ｍ２１，Ｍ２２）と
を備える回転駆動システム。
【請求項１２】
請求の範囲１１記載の回転駆動システムと、
前記モータ（Ｍ１１〜Ｍ１６；Ｍ２１，Ｍ２２）の各々に対応して設けられ、対応する前記モータによって回転駆動される、同一仕様の複数のファン（Ｆ１１〜Ｆ１６；Ｆ２１，Ｆ２２）と
を備える送風システム。
【請求項１３】
請求の範囲１２記載の送風システムを備えるクリーンベンチ（ＣＢ）。
【請求項１４】
請求の範囲１２記載の送風システムを備える空気調和機の室外機（３００）。
【発明の詳細な説明】
技術分野
この発明は、モータを駆動するモータドライバの複数を備えた回転速度制御システムに関する。この発明は、クリーンベンチやこれに対して送風する送風システム、当該送風システムを用いた空気調和機の室外機に適用可能である。
背景技術
従来から、複数のモータが同じ回転速度で回転することが要求される場合がある。図５は、複数のファンから同じ風量が与えられる公用の送風システムの構成を示すブロック図である。ｎ個のファンＦ１，Ｆ２，…Ｆｎは同一の仕様で設計されているので、これらのそれぞれを回転させるモータＭ１，Ｍ２，…Ｍｎが同一の回転速度で回転するように設定される。
モータＭ１，Ｍ２，…Ｍｎは、それぞれモータドライバＤ１，Ｄ２，…Ｄｎによって駆動される。モータドライバＤ１，Ｄ２，…ＤｎはそれぞれモータＭ１，Ｍ２，…Ｍｎに対して駆動電圧Ｖ１，Ｖ２，…Ｖｎを供給する。またモータＭ１，Ｍ２，…Ｍｎの回転速度Ｔ１，Ｔ２，…Ｔｎはそれぞれ回転速度検出器Ｐ１，Ｐ２，…Ｐｎによって検出され、モータドライバＤ１，Ｄ２，…Ｄｎに送られる。
モータドライバＤｉ（ｉ＝１，２，…，ｎ）はそれぞれ抵抗Ｒ０ｉを備えている。そしてモータドライバＤｉのそれぞれにおいて抵抗Ｒ０ｉの両端電圧が演算ユニットＣＰＵに入力され、演算ユニットＣＰＵは当該電圧に基づいて駆動電圧Ｖｉを決定し、駆動回路ＤＲＶにモータＭｉへ駆動電圧Ｖｉを与えさせる。
抵抗Ｒ０ｉの両端電圧は、リモートコントローラＣＯから供給される電流Ｉ及びモータドライバＤｉの台数ｎによって決定される。モータドライバＤｉは全て同一仕様で設計され、理想的には式（１）が成立する。
Ｒ０１＝Ｒ０２＝…＝Ｒ０ｎ＝Ｒ０  …（１）
よって図５に示されるようにモータドライバＤ１，Ｄ２，…ＤｎがリモートコントローラＣＯに対して並列に接続されれば、演算ユニットＣＰＵの入力インピーダンスが十分高いとして、抵抗Ｒ０１，Ｒ０２，…，Ｒ０ｎのそれぞれに流れる電流Ｉ１，Ｉ２，…，Ｉｎは相互に等しく、式（２）が成立する。
Ｉ１＝Ｉ２＝…＝Ｉｎ＝Ｉ／ｎ      …（２）
モータドライバＤｉは全て同一仕様で設計されるので、駆動電圧については式（３）が成立する。
Ｖ１＝Ｖ２＝…＝Ｖｎ              …（３）
そこでモータＭ１，Ｍ２，…Ｍｎが同一仕様で設計されていれば、回転速度Ｔ１，Ｔ２，…Ｔｎは相互に等しく、よってｎ個のファンＦ１，Ｆ２，…Ｆｎから同じ風量が与えられる。
回転速度Ｔ１，Ｔ２，…Ｔｎの速さを調節するには、リモートコントローラＣＯから供給される電流Ｉの大きさを調節する。そのため、リモートコントローラＣＯには電流値設定のための可変抵抗Ｒｖが設けられる。
上述のように、従来の技術ではリモートコントローラＣＯから電流Ｉが供給され、その大きさを調節することによって、ｎ個のファンＦ１，Ｆ２，…Ｆｎから同量で与えられる風量を調節できる。そのため、リモートコントローラＣＯとモータドライバＤ１，Ｄ２，…Ｄｎとの間の距離が長くなって、両者間の配線長が大きな抵抗を有しても、回転速度の変動は小さい。しかも外来のノイズにも強い。
しかしながら、式（２）から明らかなように、各モータドライバＤｉに与えられ、その抵抗Ｒｏｉの両端に電圧を生起する電流Ｉ１は、モータドライバＤｉの台数ｎに依存する。よってモータドライバの台数ｎが異なる毎に各モータドライバＤｉにおいて演算ユニットＣＰＵに入力される電圧は異なる。
一方、リモートコントローラＣＯは複数のモータドライバに対して一つ接続されるので、自身が出力する電流Ｉと、複数のファンから同量で与えられる風量とが一つの関係で設定されており、当該関係は台数ｎを考慮していない。よって台数ｎが異なってもリモートコントローラＣＯにおいて設定された当該関係に則った風量を得るためには、各モータドライバＤｉにおいて抵抗Ｒｏｉの両端電圧と、駆動電圧Ｖｉとの関係を設定し直す必要がある。
また、理想的には式（１）が成立するが、抵抗Ｒｏｉの値がモータドライバＤｉ毎にばらつく可能性がある。その場合には、各モータドライバＤｉに与えられる電流Ｉｉもばらつき、ひいては回転速度Ｔｉがばらつく可能性がある。そしてその場合にはファンＦ１，Ｆ２，…Ｆｎから与えられる風量もばらついてしまう。
発明の開示
本発明は上記の事情に鑑みてなされたもので、モータドライバの台数に依存せず、またモータドライバ毎の特性に依存せずに、複数のモータを同じ回転速度で駆動する技術を提供する。
この発明の第１の態様は、回転速度制御システムであって、（ａ）各々が（ａ−１）モータ回転速度を設定する回転速度指示信号（９１；９２）を出力する回転速度指示手段（３１；３２）と、（ａ−２）前記回転速度指示手段から前記回転速度指示信号を受け、前記回転速度指示信号に基づいて自身に対応するモータ（Ｍ１１；Ｍ２１）を駆動する第１のモータドライバ（２０１；２１１）と、（ａ−３）前記第１のモータドライバとの間でデジタル値の通信が可能であり、前記第１のモータドライバから前記回転速度指示信号を受け、前記回転速度指示信号に基づいて自身に対応するモータ（Ｍ１２〜Ｍ１６；Ｍ２２）を駆動する少なくとも一つの第２のモータドライバ（２０２〜２０６；２１２）とを備える少なくとも一つのモータドライブ系統（７１；７２）と、（ｂ）前記モータドライブ系統の各々の前記第１のモータドライバと通信することによって、前記モータドライブ系統毎に前記第１及び第２のモータドライバの動作を監視する集中監視手段（１０）とを備える。
この発明のうち第１の態様にかかる回転速度制御システムによれば、モータ回転速度を設定する回転速度指示信号が設定され、これが第１のモータドライバに与えられ、またデジタル値で第２のモータドライバに与えられるので、モータドライバの台数に依存せず、またモータドライバ毎の特性に依存せず、送風系統毎に複数のモータを同じ回転速度で駆動することができる。
この発明の第２の態様は、第１の態様にかかる回転速度制御システムであって、前記モータドライブ系統（７１；７２）の各々において、（ａ−４）前記第１のモータドライバ（２０１；２１１）及び前記第２のモータドライバ（２０２；２１２）を相互に接続する系統内配線（５１；５２）が更に備えられる。
この発明のうち第２の態様にかかる回転速度制御システムによれば、系統内配線を介して、回転速度指示信号が第１のモータドライバから第２のモータドライバに与えられる。
この発明の第３の態様は、第１の態様にかかる回転速度制御システムであって、前記モータドライブ系統（７１；７２）は複数設けられる。
この発明のうち第３の態様３にかかる回転速度制御システムによれば、モータドライブ系統毎に等しい回転速度でモータを駆動することができる。
この発明の第４の態様は、第３の態様にかかる回転速度制御システムであって、複数の前記モータドライブ系統（７１；７２）の各々の前記第１のモータドライバ（２０１；２１１）は、自身が所属する前記モータドライブ系統（７１；７２）に異常が生じた場合に、前記集中監視手段（１０）との間の通信を切断する。
この発明のうち第４の態様にかかる回転速度制御システムによれば、一のモータドライブ系統の稼働状態は、他のモータドライブ系統で生じた異常によって妨げられることなく、集中監視手段によって集中的に監視することができる。
この発明の第５の態様は、第４の態様にかかる回転速度制御システムであって、前記第１のモータドライバ（２０１；２１１）は、前記回転速度指示信号に基づいて自身に対応する前記モータ（Ｍ１１；Ｍ２１）を駆動し、前記集中監視手段（１０）と通信可能な通信・制御回路（８３）と、前記集中監視手段と接続されたコネクタ（８４）と、前記コネクタと前記通信・制御回路との間に介在するスイッチ（８５）とを有し、異常が生じた前記モータドライブ系統において前記スイッチが切断される。
この発明のうち第５の態様にかかる回転速度制御システムによれば、第４の態様の通信の切断を行うことができる。
この発明の第６の態様は、第５の態様にかかる回転速度制御システムであって、前記第２のモータドライバ（２０２〜２０６；２１２）は、前記第１のモータドライバ（２０１；２１１）の前記通信・制御回路（８３）との間で前記系統内配線（５１，５２）を介してデジタル値の通信が可能であって、前記回転速度指示信号（９１；９２）に基づいて自身に対応する前記モータ（Ｍ１２〜Ｍ１６；Ｍ２２）を駆動する通信・制御回路（８３）を有する。
この発明のうち第６の態様にかかる回転速度制御システムによれば、系統内配線を介して、回転速度指示信号が第１のモータドライバから第２のモータドライバに与えられる。
この発明の第７の態様は、第１の態様にかかる回転速度制御システムであって、前記モータドライブ系統（７１）において、前記第２のモータドライバ（２０２〜２０６）は複数設けられ、その各々には固有の識別符号が設定され、前記第１のモータドライバ（２０１）から前記第２のモータドライバ（２０２〜２０６）に対して、前記識別符号及び前記回転速度指示信号が伝達される。
この発明の第８の態様は、第７の態様にかかる回転速度制御システムであって、前記モータドライブ系統（７１）において、前記第２のモータドライバ（２０２〜２０６）から前記第１のモータドライバ（２０１）に対して、前記識別符号及び前記回転速度指示信号が伝達される。
この発明のうち第７、第８の態様にかかる回転速度制御システムによれば、第１のモータドライバから伝達された情報が、正しく第２のモータドライバへと伝達されたか否かが確認できるし、ひいては、もしもノイズなどの混入が発生して正しく伝達されていなかった場合には、第１のドライバから第２のドライバへと再び伝達することも可能となる。
この発明の第９の態様は、第７の態様にかかる回転速度制御システムであって、前記第２のモータドライバ（２０２〜２０６）において生じた故障に対応するコードが、前記第２のモータドライバから前記第１のモータドライバ（２０１）に対して伝達される。
この発明のうち第９の態様にかかる回転速度制御システムによれば、どのスレーブドライバにおいてどのような故障が生じたかを集中監視手段に認識させることが可能となる。
この発明の第１０の態様は、第１の態様にかかる回転速度制御システムであって、前記モータドライブ系統（７１）において、前記第２のモータドライバ（２０２〜２０６）は複数の副モータドライブ系統（７１ａ，７１ｂ）に区分され、前記副モータドライブ系統の各々には固有の識別符号が設定され、前記第１のモータドライバ（２０１）から前記副モータドライバ系統に対して、前記識別符号及び前記回転速度指示信号が伝達される。
この発明のうち第１０にかかる回転速度制御システムによれば、副モータドライバ系統毎に回転速度を異ならせる制御を行うことができる。
この発明の第１１の態様は、回転駆動システムであって、第１乃至第１０の態様のいずれか一つにかかる回転速度制御システムと、前記モータドライバの各々に対応して設けられ、対応する前記モータドライバによって回転速度が制御される、同一仕様のモータ（Ｍ１１〜Ｍ１６；Ｍ２１，Ｍ２２）とを備える。
この発明のうち第１１の態様にかかる回転駆動システムによれば、モータの負荷が等しい場合に、等しい回転速度で当該負荷に回転駆動を与えることができる。
この発明の第１２の態様は、送風システムであって、第１１の態様にかかる回転駆動システムと、前記モータ（Ｍ１１〜Ｍ１６；Ｍ２１，Ｍ２２）の各々に対応して設けられ、対応する前記モータによって回転駆動される、同一仕様の複数のファン（Ｆ１１〜Ｆ１６；Ｆ２１，Ｆ２２）とを備える。
この発明のうち第１２の態様にかかる送風システムによれば、吸気コンダクタンスや排気コンダクタンスが等しい複数の個所に対して、等しい風量で送風することができる。
この発明の第１３の態様は、クリーンベンチ（ＣＢ）であって、第１２の態様にかかる送風システムを備える。
この発明のうち第１３の態様にかかるクリーンベンチによれば、複数の個所に対して、等しい風量で送風することができるので、塵埃の浮遊を抑制することができる。
この発明の第１４の態様は、空気調和機の室外機（３００）であって、第１２の態様にかかる送風システムを備える。
この発明の第１４の態様にかかる空気調和機の室外機によれば、排気のバランスを良好にし、室外機の効率を高めることができる。
この発明の目的、特徴、局面、および利点は、以下の詳細な説明と添付図面とによって、より明白となる。
なお、本件に関する刊行物として、いずれも日本国の出願公開公報である、特開平８−４２８８５号公報、特開平１１−９４４１８号公報、特開２００２−５４８３０号公報がある。
発明を実施するための最良の形態
図１は本実施の形態にかかる送風システムの構成を示すブロック図である。当該送風システムは、複数の送風系統７１，７２と、これらの動作を集中的に監視する集中監視機器１０が接続されている。送風系統７１，７２は、集中監視ライン４を介して集中監視機器１０に対して相互に並列に接続される。集中監視ライン４は、送風系統７１，７２の通信状態や制御状態を集中監視機器１０に伝搬させる機能を有する。図１では送風系統は２系統の場合を例示しているが、並列接続される系統数は３以上であってもよい。
送風系統７１はリモートコントローラ３１、複数のモータドライバ２０１，２０２を備えている。モータドライバ２０１，２０２はモータドライバ系統として把握することができる。モータドライバ２０１，２０２は後に詳述するやり方で相互に並列接続されている。モータドライバ２０１，２０２にはそれぞれに対応してモータＭ１１，Ｍ１２が接続されている。モータＭ１１，Ｍ１２にはそれぞれファンＦ１１，Ｆ１２が取り付けられて回転する。図１では並列接続されるモータドライバの数を２個とした場合を例示しているが、並列接続されるモータドライバの個数（従ってモータやファンの個数）は３以上であってもよい。ファンＦ１１，Ｆ１２、モータＭ１１，Ｍ１２、モータドライバ２０１，２０２はそれぞれ同じ仕様で設計されている。
送風系統７１ではモータドライバ２０１にのみ制御回路たるリモートコントローラ３１及び集中監視機器１０が直接に接続されている。本件では集中監視機器１０が直接に接続されているモータドライバをマスタードライバ、それ以外のモータドライバをスレーブドライバと称する。マスタードライバは送風系統毎に一つ設定される。モータドライバ２０１は送風系統７１におけるマスタードライバである。モータドライバ２０２は、及びもし更に多くのモータドライバが並列接続されている場合にはそれらも、送風系統７１におけるスレーブドライバである。
送風系統７２も送風系統７１と同様に構成される。リモートコントローラ３２、モータドライバ２１１，２１２が備えられており、それぞれ送風系統７１のリモートコントローラ３１、モータドライバ２０１，２０２に対応している。モータドライバ２１１，２１２はモータドライバ系統として把握することができる。モータドライバ２１１，２１２にはそれぞれに対応してモータＭ２１，Ｍ２２が接続されている。モータＭ２１，Ｍ２２にはそれぞれファンＦ２１，Ｆ２２が取り付けられて回転する。図１では並列接続されるモータドライバの数を２個とした場合を例示しているが、並列接続されるモータドライバの個数（従ってモータやファンの個数）は３以上であってもよい。但し並列接続されるモータドライバの個数は送風系統７１，７２で相互に異なっていてもよい。
ファンＦ２１，Ｆ２２、モータＭ２１，Ｍ２２、モータドライバ２１１，２１２はそれぞれ同じ仕様で設計されている。但し、これらの仕様は送風系統７１，７２で相互に異なっていてもよい。以下では簡単のため、モータドライバ２１１，２１２はモータドライバ２０１，２０２と同じ構成を有しているとして説明する。
送風系統７２ではモータドライバ２１１にのみ制御回路たるリモートコントローラ３２及び集中監視機器１０が接続されている。モータドライバ２１１は送風系統７２におけるマスタードライバである。モータドライバ２１２は、及びもし更に多くのモータドライバが並列接続されている場合にはそれらも、送風系統７２におけるスレーブドライバである。
なお、集中監視機器１０、モータＭ１１，Ｍ１２、モータドライバ２０１，２０２及びリモートコントローラ３１は、ファンＦ１１，Ｆ１２に回転駆動を与える回転駆動システムとして把握することができる。当該回転駆動システムはファンＦ１１，Ｆ１２と相まって送風システムとして把握することができる。あるいは更に、モータＭ２１，Ｍ２２，モータドライバ２１１，２１２、リモートコントローラ３２をも含めて、ファンＦ１１，Ｆ１２，Ｆ２１，Ｆ２２に回転駆動を与える回転駆動システムとして把握することができる。当該回転駆動システムはファンＦ１１，Ｆ１２，Ｆ２１，Ｆ２２と相まって送風システムとして把握することができる。
また、集中監視機器１０、モータドライバ２０１，２０２及びリモートコントローラ３１は、モータＭ１１，Ｍ１２の回転速度を制御する回転速度制御システムとして把握することができる。あるいは更に、モータドライバ２１１，２１２、リモートコントローラ３２も含めて、モータＭ１１，Ｍ１２，Ｍ２１，Ｍ２２の回転速度を制御する回転速度制御システムとして把握することができる。
モータドライバ２０１，２０２，２１１，２１２は、それぞれ受信バッファ８１及び送信バッファ８２を備えている。受信バッファ８１は集中監視機器１０及び自身が所属する送風系統での他のモータドライバ（例えばモータドライバ２０１にとってのモータドライバ２０２；モータドライバ２１１にとってのモータドライバ２１２）からの情報を受信する機能を果たす。送信バッファ８２は集中監視機器１０及び他のモータドライバへと情報を送信する機能を果たす。
モータドライバ２０１，２０２，２１１，２１２は、それぞれが更に通信・制御回路８３を備えている。モータドライバ２０１，２１１においては、通信・制御回路８３にはモータドライバ２０１，２１１の内部で受信バッファ８１及び送信バッファ８２が、モータドライバ２０１，２１１の外部からリモートコントローラ３１，３２が、それぞれ接続されている。モータドライバ２０２，２１２においては、通信・制御回路８３にはモータドライバ２０２，２１２の内部で受信バッファ８１及び送信バッファ８２が、それぞれ接続されており、リモートコントローラ３１，３２との接続はない。
リモートコントローラ３１，３２からは、いずれもモータ回転速度をデジタル値またはアナログ値で設定するそれぞれ回転速度指示信号９１，９２が出力される。マスタードライバたるモータドライバ２０１，２１１の通信・制御回路８３は、それぞれリモートコントローラ３１，３２から回転速度指示信号９１，９２を受け、これらに基づいて、自身に対応するモータＭ１１，Ｍ２１を駆動し、ひいてはファンＦ１１，Ｆ２１を回転させる。送風系統７１，７２は相互に異なる回転速度を採用することができ、その場合には回転速度指示信号９１，９２の値は相互に異なる値を採る。この場合、送風系統毎に等しい回転速度でモータを駆動することができる。勿論、回転速度指示信号９１，９２の値を等しくして、送風系統７１，７２が相互に等しい回転速度を採用することもできる。
モータドライバ２０１，２０２，２１１，２１２は、第１コネクタ８４及び第２コネクタ８６を更に備えている。モータドライバの各々において第１コネクタ８４及び第２コネクタ８６のいずれも、通信・制御回路８３との間で受信バッファ８１及び送信バッファ８２を並列に接続する。但し第１コネクタ８４と受信バッファ８１及び送信バッファ８２との間には、更にスイッチ８５が設けられており、通常時は導通しているものの、異常時には通信・制御回路８３によって遮断される。
モータドライバ２０１，２０２のそれぞれの第２コネクタ８６同士は、系統内配線５１に対して並列に接続される。通常時には、集中監視機器１０は集中監視ライン４及びモータドライバ２０１の第１コネクタ８４、受信バッファ８１を介して通信・制御回路８３と通信される。従ってモータドライバ２０２の稼働状態の情報は、通常時にはモータドライバ２０２の第２コネクタ８６、系統内配線５１、モータドライバ２０１の第２コネクタ８６、モータドライバ２０１のスイッチ８５、モータドライバ２０１の第１コネクタ８４、集中監視ライン４を介して，集中監視機器１０に与えられる。
集中監視機器１０は受信バッファ１１、送信バッファ１２、監視処理回路１３を備えている。監視処理回路１３は受信バッファ１１を介して集中監視ライン４から情報を得て、送信バッファ１２を介して集中監視ライン４へと情報を与える。
同様にして、モータドライバ２１１，２１２のそれぞれの第２コネクタ８６同士は、系統内配線５２に対して並列に接続される。これによりモータドライバ２１２の稼働状態の情報は、通常時にはモータドライバ２１２の第２コネクタ８６、系統内配線５２、モータドライバ２１１の第２コネクタ８６、モータドライバ２１１の第１コネクタ８４、集中監視ライン４を介して，集中監視機器１０に与えられる。
以上のようにして、集中監視機器１０は送風系統７１，７２の動作を集中的に監視することができる。特に、モータドライバ２０１，２０２，２１１，２１２に固有の識別符号を設定し、集中監視機器１０に識別符号を認識させることにより、モータドライバ２０１，２０２，２１１，２１２毎の稼働状態を集中的に監視することができる。
また逆に、回転速度指示信号９１はデジタル値の態様でモータドライバ２０１の通信・制御回路８３から、モータドライバ２０１の送信バッファ８２、モータドライバ２０１の第２コネクタ８６、系統内配線５１、モータドライバ２０２の第２コネクタ８６、モータドライバ２０２の受信バッファ８１を介して、モータドライバ２０２の通信・制御回路８３に与えられる。このようにモータドライバ２０１，２０２のそれぞれの通信・制御回路８３同士がお互いにデジタル値での通信を可能とすることにより、スレーブドライバたるモータドライバ２０２は、マスタードライバたるモータドライバ２０１がモータＭ１１を駆動する回転速度と等しい回転速度で、モータＭ１２を駆動し、ひいてはファンＦ１２を回転させることができる。
同様にして、回転速度指示信号９２はモータドライバ２１１からモータドライバ２１２に伝達される。これにより、スレーブドライバたるモータドライバ２１２は、マスタードライバたるモータドライバ２１１がモータＭ２１を駆動する回転速度と等しい回転速度で、モータＭ２２を駆動し、ひいてはファンＦ２２を回転させることができる。
回転速度指示信号９１，９２によって設定されたモータ回転速度がデジタル値でモータドライバ間で伝達されるので、モータドライバの台数に依存せず、またモータドライバ毎の特性に依存せずに、送風系統毎に複数のモータを同じ回転速度で駆動することができる。回転速度指示信号９１，９２は、回転数の値そのものを示すデジタル値であってもよいし、回転数に相当するコードであってもよい。あるいは回転数の上限と下限の閾値を表しても良い。その場合には、マスタードライバ２０１，２１１の備える通信・制御回路８３が、当該二つの閾値の範囲内に収まるように回転数を制御する。
しかも、集中監視ライン４を介して，集中監視機器１０が送風系統７１，７２の稼働状態を監視することができる。集中監視ライン４はモータドライバ２０１，２１１のそれぞれの第１コネクタ８４及び第２コネクタ８６を介して系統内配線５１，５２と接続されているので、集中監視機器１０は全てのモータドライバ２０１，２０２，２１１，２１２の稼働状態を集中的に監視することができる。
例えば今、送風系統７１の系統内配線５１に異常が生じた場合を想定する。かかる異常を放置すれば集中監視ライン４を介して、送風系統７２に悪影響を与える可能性がある。この通信異常をモータドライバが検出すると全系列のスイッチ８５をオフし、自系列内の通信テストを行い、異常が発見された場合はスイッチ８５をオフのままとする。自系列が正常と判断した場合のみ再度スイッチ８５をオンし、通信を再開する。このとき各モータドライバは異常発生前の回転数を維持したままとする。これは全系列が接続されたままであると、異常個所を特定できないためである。かかる悪影響を回避すべく、モータドライバ２０１の通信・制御回路８３は系統内配線５１の異常を検出し、モータドライバ２０１のスイッチ８５を切断する。これにより、集中監視機器１０は送風系統７２に関して、即ちモータドライバ２１１，２１２の稼働状態を、送風系統７１で生じた異常によって妨げられることなく集中的に監視することができる。
逆に、送風系統７２に異常が生じた場合には、モータドライバ２１１の通信・制御回路８３はその異常を検出し、モータドライバ２１１のスイッチ８５を切断する。これにより、集中監視機器１０は送風系統７１に関して、即ちモータドライバ２０１，２０２の稼働状態を、送風系統７１において生じた異常によって妨げられることなく、集中的に監視することができる。
送風系統７１，７２においてそれぞれモータドライバ２０１，２１１のみが集中監視ライン４に接続されるので、モータドライバ２０２，２１２においてスイッチ８５、第１コネクタ８４は必須の構成要件ではない。しかし、モータドライバ２０１，２０２及びモータドライバ２１１，２１２をそれぞれ同一仕様に設計することで、大量生産し易いというメリットがある。
なお、モータＭ１１，Ｍ１２，Ｍ２１，Ｍ２２に対してそれぞれ回転速度検出器Ｐ１１，Ｐ１２，Ｐ２１，Ｐ２２を設け、これらによってモータＭ１１，Ｍ１２，Ｍ２１，Ｍ２２の回転速度Ｔ１１，Ｔ１２，Ｔ２１，Ｔ２２を検出してもよい。回転速度Ｔ１１，Ｔ１２，Ｔ２１，Ｔ２２はそれぞれモータドライバ２０１，２０２，２１１，２１２の通信・制御回路８３に与えられ、定速度駆動の制御に資せられる。
上述の回転速度制御システムと、モータＭ１１，Ｍ１２（あるいは更にＭ２１，Ｍ２２）とを備える回転駆動システムは、モータＭ１１，Ｍ１２（あるいは更にＭ２１，Ｍ２２）の負荷たるファンＦ１１，Ｆ１２（あるいは更にＦ２１，Ｆ２２）が等しい場合に、等しい回転速度でファンＦ１１，Ｆ１２（あるいは更にＦ２１，Ｆ２２）に回転駆動を与えることができる。
また上述の回転駆動システムと、ファンＦ１１，Ｆ１２（あるいは更にＦ２１，Ｆ２２），とを備える送風システムは、吸気コンダクタンスや排気コンダクタンスが等しい複数の個所に対して、等しい風量で送風することができる。
なお、一つの送風系統内において、マスタードライバからスレーブドライバへと回転速度指示信号を伝達する場合、その伝達先の識別符号も併せて伝達してもよい。そして伝達された識別符号が設定されているスレーブドライバからは自身の識別符号と、伝達された回転速度指示信号をマスタードライブへと返信してもよい。マスタードライバから伝達された情報が、正しくスレーブドライバへと伝達されたか否かが確認できるし、ひいては、もしもノイズなどの混入が発生して正しく伝達されていなかった場合には、マスタードライバからスレーブドライバへと再び伝達することも可能となるからである。
また、スレーブドライバにおいて故障が生じた場合には、その故障を示すエラーコードをスレーブドライバからマスタードライバへと送信してもよい。かかるエラーコードをマスタードライバから集中監視機器１０へと伝達することにより、どの送風系統においてどのような故障が生じたかを集中監視機器１０が認識することができ、故障の種類を監視処理回路１３において表示することも可能となるからである。
更には、エラーコードは、そのエラーコードに対応する故障が生じたスレーブドライバの識別符号とともに、スレーブドライバからマスタードライバへと伝達されてもよい。このようなエラーコードとスレーブドライバの識別符号とをマスタードライバから集中監視機器１０へと伝達することにより、どのスレーブドライバにおいてどのような故障が生じたかを監視処理回路１３において表示することも可能となるからである。
スレーブドライバの識別符号を順次に呼び出すことにより、スレーブドライバの個数を認識してもよい。そしてマスタードライバとスレーブドライバとの間で相互通信が行われているため、信頼度が高い。
図２は本実施の形態にかかる送風システムの他の構成を示すブロック図である。送風系統７１はマスタードライバたるモータドライバ２０１の他、スレーブドライバたるモータドライバ２０２〜２０６を備えている。モータドライバ２０２〜２０６はモータドライバ２０１と同様に、受信バッファ８１及び送信バッファ８２、通信・制御回路８３、第１コネクタ８４及び第２コネクタ８６、並びにスイッチ８５を有している。モータドライバ２０２〜２０６は、それぞれモータＭ１２〜Ｍ１６を駆動する。モータＭ１２〜Ｍ１６には、それぞれファンＦ１２〜Ｆ１６が取り付けられて回転する。
なお、集中監視機器１０、モータＭ１１〜Ｍ１６、モータドライバ２０１〜２０６及びリモートコントローラ３１は、ファンＦ１１〜Ｆ１６に回転駆動を与える回転駆動システムとして把握することができる。当該回転駆動システムはファンＦ１１〜Ｍ１６と相まって送風システムとして把握することができる。モータドライバ２０１〜２０６はモータドライバ系統として把握することができる。また、集中監視機器１０、モータドライバ２０１〜２０６及びリモートコントローラ３１は、モータＭ１１〜Ｍ１６の回転速度を制御する回転速度制御システムとして把握することができる。
送風系統７１におけるスレーブドライバ、当該スレーブドライバによって駆動されるモータ及び当該モータに取り付けられたファンは、副送風系統７１ａ，７１ｂを有している。図２では副送風系統７１ａはモータドライバ２０２，２０３、モータＭ１２，Ｍ１３、及びファンＦ１２，Ｆ１３を含み、副送風系統７１ｂはモータドライバ２０４〜２０６、モータＭ１４〜Ｍ１６、及びファンＦ１４〜Ｆ１６を含んでいる。モータドライバ２０２，２０３、モータドライバ２０４〜２０６は、それぞれ別個の副モータドライバ系統として把握することができる。
副送風系統毎に固有の識別符号を付与してもよい。一つの送風系統内において、マスタードライバからスレーブドライバへと副送風系統毎に回転速度指示信号を伝達する場合、その副送風系統を示す識別符号も併せて伝達してもよい。副送風系統毎に回転速度を異ならせる制御を行うことができる。
図３は本発明が適用できる一例である、クリーンベンチＣＢの構造の概略を示している。
クリーンベンチＣＢ内では半導体ウェハＷに対して洗浄、乾燥処理が施される。具体的には例えばコンベヤが採用される移送手段ＣＶによって図中矢印の方向へと半導体ウェハＷが移送され、洗浄処理が施された後、乾燥処理が施される。
この際、塵埃が少ない環境で上記処理が施されるべく、クリーンベンチＣＢ内には清浄空気Ｇ１，Ｇ２がそれぞれ洗浄処理及び乾燥処理が施される位置に供給される。清浄空気Ｇ１はファンＦ１が外気Ｈを吸気してフィルタＫ１を介して排気することによって、清浄空気Ｇ２はファンＦ２が外気Ｈを吸気してフィルタＫ２を介して排気することによって、それぞれクリーンベンチＣＢ内へと導入される。図中、外気Ｈよりも清浄空気Ｇ１，Ｇ２の方が塵埃が少ないことを、それぞれを示す矢印でのドット数で模式的に示している。
上述のように、同一のクリーンベンチＣＢ内に複数の個所から清浄空気Ｇ１，Ｇ２が導入される場合、それらの風量は同一に設定されることが望ましい。空気流の偏りに起因する塵埃の浮遊を回避するためである。そして通常はファンＦ１，Ｆ２は同一仕様に設計されるので、これらの回転速度は同一であることが望ましい。
そこで図１に示されたファンＦ１１，Ｆ１２（あるいはファンＦ２１，Ｆ２２）をファンＦ１，Ｆ２として採用し、風量を同一に設定することができる。よって複数の個所に対して、等しい風量で送風することができるので、塵埃の浮遊を抑制することができる。
当該送風システムはクリーンベンチＣＢ以外にも適用することができる。図４は本発明にかかる空気調和機の室外機３００の構成の概略を示す。室外機３００はモータＭ１，Ｍ２と、これらによってそれぞれ回転されるファンＦ１，Ｆ２が備えられている。モータＭ１，Ｍ２として図１に示されたモータＭ１１，Ｍ１２（あるいはＭ２１，Ｍ２２）を、ファンＦ１，Ｆ２としてファンＦ１１，Ｆ１２（あるいはファンＦ２１，Ｆ２２）を、それぞれ採用することができる。かかる室外機３００によれば、排気のバランスを良好にし、その効率を高めることができる。
上記のクリーンベンチＣＢ、室外機３００に採用される送風システムにおいて、図２で示されたような副送風系統が構成されていても良い。例えば副送風系統を単位として異なるクリーンベンチや室外機３００へと採用されてもよい。
この発明は詳細に説明されたが、上記した説明は、すべての局面において、例示であって、この発明がそれに限定されるものではない。例示されていない無数の変形例が、この発明の範囲から外れることなく想定され得るものと解される。
【図面の簡単な説明】
図１及び図２は、本実施の形態にかかる送風システムの構成を示すブロック図である。
図３は、本発明にかかるクリーンベンチＣＢの構造の概略を示す図である。
図４は、本発明にかかる空気調和機の室外機３００の構成の概略を示す図である。
図５は、従来の送風システムの構成を示すブロック図である。
【図１】
2003065565.tif 000003
【図２】
2003065565.tif 000004
【図３】
2003065565.tif 000005
【図４】
2003065565.tif 000006
【図５】
2003065565.tif 000007
【国際調査報告】
2003065565.tif 000008
2003065565.tif 000009
2003065565.tif 000010